(57)【要約】      （修正有）【課題】嵩張らず、美観を持ち、サイズ別に分けたりきれいに折りたたんで管理できるファイルを提供する。【解決手段】弾力性のある長方形の第１の板材１の短い方の側端部の一辺に第２と第３の板材２、３を短く連続的に形成し、前記第１の板材１の反対側の側端部に第４の板材４を形成し、前記第１の板材１の長い方の側端部の一辺にやや小さな第５の板材５を形成し、前記第１と第５の板材１、５の境界線上に同境界線を共有する小さな第６の板材６を第２の板材２寄りに形成し、前記第１から第６の板材１〜６の境界線部を全て折りたためる様にした、大小様々なレジ袋が一括管理できるレジ袋再利用のための管理ファイル。【選択図】図８
2019182516.tif 000002
【特許請求の範囲】
【請求項１】
弾力性のある長方形の第1の板材の短い方の側端部の一辺に第2と第3の板材を連続的に形成し、前記第1の板材の反対側の側端部に第4の板材を形成し、前記第1の板材の長い方の側端部のうちの一辺に第5の板材を形成し、前記第1と第5の板材の境界線上に同境界線を共有する第6の板材を形成し、前記第1から第6の板材の境界線部を全て折りたためる様にした事を特徴とするレジ袋再利用のための管理ファイル。
【請求項２】
前記第1と第2の板材の間にマチとなる第7の板材を割り込ませる様に追加形成し、前記第7の板材と第1・2の板材の境界線部も折りたためる様にした事を特徴とする請求項1記載のレジ袋再利用のための管理ファイル。
【請求項３】
前記第1と第4の板材の間にマチとなる第8の板材を割り込ませる様に追加形成し、前記第8の板材と第1・4の板材の境界線部も折りたためる様にした事を特徴とする請求項2記載のレジ袋再利用のための管理ファイル。
【請求項４】
前記第1・2・3・4の板材のそれぞれの境界線の寸法はほぼ同一とされ、前記第1と第4の板材はほぼ同じ大きさに形成され、前記第2の板材は第1の板材より小さく形成され、前記第3の板材は第2の板材よりも小さく形成され、前記第5の板材は第1の板材より小さく第1の板材の側端部のほぼ中央に形成され、前記第6の板材は第5の板材より小さく第2の板材側に寄せて形成された事を特徴とする請求項1〜3のいずれかに記載のレジ袋再利用のための管理ファイル。
【請求項５】
前記第6の板材を前記第1の板材の一部より切り出して形成する事を特徴とする請求項4記載のレジ袋再利用のための管理ファイル。
【発明の詳細な説明】
【技術分野】
【０００１】
本発明は一般家庭において買い物の毎にたまる大小様々なサイズのレジ袋を大きさ順に重ねて折りたたんで一括管理する事ができ、範囲内であればどんなサイズのレジ袋も簡単に追加管理する事もでき、簡単に求めるサイズのレジ袋も取り出す事ができるレジ袋再利用のための管理ファイルに関するものである。
【背景技術】
【０００２】
レジ袋を再利用するために家庭内で管理する一般的な方法としては、特に特別な事はせず例えば任意に1つ選んだレジ袋に全て詰め込んで壁に取り付けたフックに掛けたり、何らかのボックスに入れて管理する事が多い。また少し手間をかける家庭では事前にある程度サイズ分けをしておいて、複数の袋（あるいはボックス）で管理したりする場合もある。
【０００３】
あるいはレジ袋をしごいて細長くなるクセを付けるなどしてから袋やボックスで管理し、サイズをある程度見極めながら取り出す事ができる工夫を加えたりする家庭もある。
【０００４】
あるいはレジ袋を全てきれいに小さく折りたたんで、きっちりサイズを分けて複数の袋（あるいはボックス）で管理したりする家庭もある。
【先行技術文献】
【特許文献】
【０００５】
【特許文献１】特許4908459
【特許文献２】特許4033358
【特許文献３】特開2006-056591
【特許文献４】特開2009-292538
【特許文献５】特開2013-106759
【特許文献６】特開2003-137231
【特許文献７】特開2003-212279
【特許文献８】特開平08-258878
【特許文献９】特開平08-337277
【特許文献１０】特許5848431
【特許文献１１】特開2005-199023
【特許文献１２】特開2000-153888
【特許文献１３】特開2015-117069
【特許文献１４】特開平10-236547
【特許文献１５】特開2009-046180
【発明の概要】
【発明が解決しようとする課題】
【０００６】
特に特別な事はせず任意に1つ選んだレジ袋やボックスに詰め込んで管理する方法や、レジ袋をしごいて細長くなるクセを付けるなどしてサイズをある程度見極めながら取り出す事ができる工夫を加えたりする方法は、作業そのものは簡単で手軽に実行できるものの思いのほか嵩張り、しかも微妙なサイズの違いまで見極めて再利用する事は困難である。また管理現場はどうしても乱雑に見え、美観に欠ける。
【０００７】
レジ袋を全てきれいに小さく折りたたんで、きっちりサイズを分けて複数の袋（あるいはボックス）で管理する方法は、あまり嵩張りもせず美観的にも問題は少ないが、レジ袋という極めて廉価な消耗品を扱うには多くの手間がかかり過ぎる。
【０００８】
特許文献1・2・3・4・5・6・7・8・9の発明は言わば単にレジ袋を収納するための容器の一種であり、大小様々なサイズのレジ袋を一括管理する機能はない。
【０００９】
特許文献10・11・12の発明はある程度大きさの違うレジ袋を一応は管理できるが、その機能は極めて限定的である上に一括管理ではなく、言わば1つのスペースの中を仕切って別々に管理しているに過ぎない。
【００１０】
特許文献13・14の発明はある程度大きさの違うレジ袋を一括管理でき、ある程度任意にサイズを選んでレジ袋を取り出す事は可能だが、その機能は限定的である上にレジ袋をしごいて細長くなるクセをつけるという手法を用いている関係上、思いのほか嵩張る。
【００１１】
特許文献15の発明は基本的に大小様々なサイズのレジ袋を一括管理する機能は有しておらず、さらに仕切り板1枚に対して1枚のレジ袋を巻き付けて折りたたんで収納する構造のため管理できるレジ袋の枚数もあまり多くは期待できない。
【課題を解決するための手段】
【００１２】
本発明は一般家庭において買い物の毎にたまる大小様々なサイズのレジ袋を、管理できるサイズの最小と最大が面積にしてほぼ16倍以内という制約はあるものの、あるいは使い始め時にそれらを大きさ順にそろえて重ねなければならないという手間もあるものの、それらをまとめて最小と最大のほぼ中間の大きさに効率よく折りたたんで一括管理する事ができ、その範囲内であればどんなサイズのレジ袋でも簡単に大きさ順を狂わさずに追加管理する事もでき、簡単に求めるサイズのレジ袋を取り出す事もできる事を特徴とするレジ袋再利用のための管理ファイルを提供する。
【００１３】
本発明は弾力性のある長方形の第1の板材の短い方の側端部の一辺に第2と第3の板材を連続的に形成し、前記第1の板材の反対側の側端部に第4の板材を形成し、前記第1の板材の長い方の側端部のうちの一辺に第5の板材を形成し、前記第1と第5の板材の境界線上に同境界線を共有する第6の板材を形成し、前記第1から第6の板材の境界線部を全て折りたためる様にした事を特徴とするレジ袋再利用のための管理ファイルを提供する。
【００１４】
本発明は前記管理ファイルにおいて、前記第1と第2の板材の間にマチとなる第7の板材を割り込ませる様に追加形成し、前記第7の板材と第1・2の板材の境界線部も折りたためる様にした事を特徴とするレジ袋再利用のための管理ファイルを提供する。
【００１５】
本発明は前記第7の板材を有する管理ファイルにおいて、前記第1と第4の板材の間にもマチとなる第8の板材を割り込ませる様に追加形成し、前記第8の板材と第1・4の板材の境界線部も折りたためる様にした事を特徴とするレジ袋再利用のための管理ファイルを提供する。
【００１６】
本発明は前記管理ファイルにおいて、前記第1・2・3・4の板材の境界線の寸法はほぼ同一とされ、前記第1と第4の板材はほぼ同じ大きさに形成され、前記第2の板材は第1の板材より小さく形成され、前記第3の板材は第2の板材よりも小さく形成され、前記第5の板材は第1の板材より小さく第1の板材の側端部のほぼ中央に形成され、前記第6の板材は第5の板材より小さく第2の板材側に寄せて形成された事を特徴とするそれぞれのレジ袋再利用のための管理ファイルを提供する。
【００１７】
本発明は前記管理ファイルにおいて、前記第6の板材を第1の板材の一部より切り出して形成する事を特徴とするそれぞれのレジ袋再利用のための管理ファイルを提供する。
【発明の効果】
【００１８】
本発明において前記それぞれの管理ファイルのいずれかを広げ、レジ袋の底辺を前記第2と第3の板材の境界線に沿わせつつレジ袋の横辺を前記第1と第5の板材の境界線に沿わせて置き、その後順番に第5の板材、レジ袋が管理ファイルの外にはみ出している場合はそのはみ出している箇所、第3の板材、第2の板材（または第2・7の板材）、第4の板材（または第4・8の板材）と折りたたんでいく事により、レジ袋の中の空気を段階的に排出させつつ第1の板材の大きさに折りたたむ事ができ、レジ袋を適正に管理する事ができる。
【００１９】
本発明において、大小様々なサイズのレジ袋が管理ファイル側ほど大きいという法則で順番に重ねられてすでに管理されているとして、例えば管理ファイルの外にはみ出す大きさのレジ袋を新たに追加管理したい場合は、まず前記第5・6の板材を残して全てを広げた後、新たに追加管理したいレジ袋よりも小さいレジ袋をまとめて第5の板材に巻き付けてつまんでそのまま持ち上げる事により、その箇所に新たに追加管理したいレジ袋を大きさの順番を狂わす事なく割り込ませる事ができる。またほぼその逆の手順で、取り出したいサイズのレジ袋を効率よく取り出す事もできる。                                                                                                                                                                                                                
【００２０】
本発明において、大小様々なサイズのレジ袋が管理ファイル側ほど大きいという法則で順番に重ねられてすでに管理されているとして、例えば管理ファイルからはみ出さない小ささのレジ袋を新たに追加管理したい場合は、まず前記第6の板材を残して全てを広げた後、新たに追加管理したいレジ袋よりも小さいレジ袋をまとめて第6の板材に巻き付けてつまんでそのまま持ち上げる事により、その箇所に新たに追加管理したいレジ袋を大きさの順番を狂わす事なく割り込ませる事ができる。またほぼその逆の手順で、取り出したいサイズのレジ袋を効率よく取り出す事もできる。
【００２１】
本発明によれば、前記第6の板材に巻き付ける事ができるレジ袋の底辺の最大寸法は第6の板材の当該側端部の2倍が妥当となるので（当該側端部の直角の位置にある側端部をまたいで表裏巻き付ける事ができるため2倍が妥当となる）、よって第6の板材の当該側端部の寸法を前記第5の板材の当該側端部の1/2程度にあらかじめ設定しておけば、第5の板材と第6の板材において巻き付ける事ができるレジ袋のサイズの住み分けがうまくできる。
【００２２】
本発明において管理できるレジ袋の最大サイズは、レジ袋を巻き付けて折りたたむ時の芯となる第5の板材の面積にしてほぼ4倍（長い方の側端部をまたいで表裏に巻き付けた後、短い方の側端部をまたいで表裏に巻き付けるためほぼ4倍となる）に、レジ袋の底辺を第2と第3の板材の境界線上に沿わせて置く事により第5の板材を折りたたんだ際に第5の板材からはみ出す形となるレジ袋の下部（横辺部）を加算した寸法となる。よって例えば第5の板材を書棚などで管理しやすい定型サイズのA4サイズと仮に設定した場合、管理できるレジ袋の最大サイズはA2サイズ（A4サイズの面積にして4倍）の長い方の辺を少しのばした細長いものとなるが、この事は世間一般で流通しているレジ袋の多くが定型サイズに持ち手部が付いた細長いものが多いという現状に対して好都合である。
【００２３】
本発明において管理できるレジ袋の最小サイズは、底辺の寸法は出し入れの際巻き付ける相手となる前記第6の板材にギリギリ巻き付ける事ができなくなる第6の板材の当該側端部の寸法がほぼ妥当と考えられ、横辺の寸法は底辺を前記第2と第3の板材の境界線上に沿わせて置く事により第5・6の板材を折りたたんだ際に第5・6の板材からはみ出す形となるレジ袋の下部（横辺部）の寸法に、第6の板材との重なり部として必要となる数センチを加算した寸法となる。よって例えば前記の例に合わせて第5の板材をA4サイズと仮に設定した場合、第6の板材の当該側端部の寸法は前記の通りA6サイズの短い方の辺の寸法（A4サイズの当該側端部の1/2の寸法）が管理できるレジ袋のサイズの住み分けがうまくできる適当な寸法となるので、それに合わせて管理できるレジ袋の最小サイズをA6サイズに持ち手部がついたものとしたければ、それらを逆算して第2と第3の板材の境界線から第6の板材の側端部までの寸法をA6サイズに持ち手部がついたレジ袋の横辺の一般的な寸法より数センチ短く設定しておけばよい。
【００２４】
本発明によれば前期の通り第5の板材をA4サイズと仮に設定した場合には管理できるレジ袋の最大サイズはA2サイズに持ち手部が付いたものまで期待でき、最小サイズはA6サイズに持ち手部が付いたものまで可能とする事が期待できるので、管理できるレジ袋の最小と最大は面積にしてほぼ16倍まで期待する事ができる。
【００２５】
本発明において前記第1と第5の板材の大きさの差異を大きく設定しておくと同時に、その差異と合わせて前記第2と第3の板材の大きさの差異と、第7・8の板材がある場合はそのマチとなる側端部の寸法を大きく設定しておけば、管理できるレジ袋の大きさに対して管理ファイル自体の外形はその分だけ大きくなるものの、あるいは（第2と第3の板材の境界線から第5・6の板材の側端部までの寸法がのびる事により）レジ袋の最小サイズの横辺がその分だけ長いものでないと管理できなくなるという制約も増えるものの、折りたたんだ時にそれらの差異が隙間となって管理できるレジ袋の枚数を自在に増やす事ができる。
【００２６】
本発明において適正な寸法の前記第7の板材や、適正な寸法の前記第8の板材を形成しておけば、その箇所がマチとなって本発明品の美観的価値を向上させる事ができる。
【００２７】
本発明において前記第6の板材を前記第1の板材の一部より切り出して形成する事により、折りたたんだ時にその切り出した箇所においてレジ袋の一部は露出してしまうものの管理機能には全く支障をきたさない、展開すると1枚のシート状につながった形態となるレジ袋再利用のための管理ファイルを製造する事ができる。
【図面の簡単な説明】
【００２８】
【図１】マチとなる板材を有しない、レジ袋再利用のための管理ファイル30の基本的構造図
【図２】マチとしては板材7のみを有する、レジ袋再利用のための管理ファイル31の基本的構造図
【図３】マチとなる板材7・8を有する、レジ袋再利用のための管理ファイル32の基本的構造図
【図４】マチとなる板材を有しない、展開すると1枚のシート状につながった形態のレジ袋再利用のための管理ファイル33の基本的構造図
【図５】マチとしては板材7のみを有する、展開すると1枚のシート状につながった形態のレジ袋再利のための管理ファイル34の基本的構造図
【図６】マチとなる板材7・8を有する、展開すると1枚のシート状につながった形態のレジ袋再利用のための管理ファイル35の基本的構造図
【図７】大小様々なサイズのレジ袋のイメージ図
【図８】大小様々なサイズのレジ袋の管理手順図（1工程目）
【図９】大小様々なサイズのレジ袋の管理手順図（2工程目）
【図１０】大小様々なサイズのレジ袋の管理手順図（3工程目）
【図１１】大小様々なサイズのレジ袋の管理手順図（4工程目）
【図１２】大小様々なサイズのレジ袋の管理手順図（5工程目）
【図１３】大小様々なサイズのレジ袋の管理手順図（6工程目）
【図１４】大小様々なサイズのレジ袋の管理手順図（7工程目）
【図１５】管理ファイルからはみ出す大きさのレジ袋の追加管理手順図（1工程目）
【図１６】管理ファイルからはみ出す大きさのレジ袋の追加管理手順図（2工程目）
【図１７】管理ファイルからはみ出す大きさのレジ袋の追加管理手順図（3工程目）
【図１８】管理ファイルからはみ出す大きさのレジ袋の追加管理手順図（4工程目）
【図１９】管理ファイルからはみ出す大きさのレジ袋を取り出す手順のうちの最終工程図
【図２０】管理ファイルからはみ出さない小ささのレジ袋の追加管理手順図（1工程目）
【図２１】管理ファイルからはみ出さない小ささのレジ袋の追加管理手順図（2工程目）
【図２２】管理ファイルからはみ出さない小ささのレジ袋の追加管理手順図（3工程目）
【図２３】管理ファイルからはみ出さない小ささのレジ袋の追加管理手順図（4工程目）
【図２４】管理ファイルからはみ出さない小ささのレジ袋を取り出す手順のうちの最終工程図
【図２５】マチとなる板材を有しないレジ袋再利用のための管理ファイル30を折りたたんだ時の正面図(A)と、マチとしては板材7のみを有する同管理ファイル31の同正面図（B）と、マチとなる板材7・8を有する同管理ファイル32の同正面図（C）
【図２６】マチとなる板材を有しない、展開すると1枚のシート状につながった形態のレジ袋再利用のための管理ファイル33を折りたたんだ時の正面図(A)と、マチとしては板材7のみを有する同管理ファイル34の同正面図（B）と、マチとなる板材7・8を有する同管理ファイル35の同正面図（C）
【図２７】レジ袋再利用のための管理ファイル30・31・32を折りたたんだ時の板材1側から見た背面図（A）と、展開すると1枚のシート状につながった形態の同管理ファイル33・34・35の同背面図（B）
【発明を実施するための形態】
【００２９】
図1・2・3・4・5・6は、レジ袋再利用のための管理ファイル30・31・32・33・34・35のそれぞれの基本的構造図（平面図）である。
【００３０】
図1・2・3・4・5・6掲載の管理ファイルの材質としては、適度な弾力性のある樹脂板、あるいは厚紙が適しているが、本発明品が目指す機能を満たすものであれば特にそれを限定するものではない。
【００３１】
図1・2・3・4・5・6掲載のそれぞれの板材1は主に管理ファイルの外形を決める役目を有し、板材2は主に管理できるレジ袋を細長くするという効能とレジ袋を固定する機能を有し、板材3は主にレジ袋の奥底の空気を排出する機能を有し、板材4は主にフタの機能を有し、板材5は主に管理できるレジ袋のサイズを決める役目と大きいレジ袋の出し入れ作業の補助機能を有し、板材6は主に小さいレジ袋の出し入れ作業の補助機能を有する。
【００３２】
図2・3・5・6掲載の板材7、および図3・6に掲載の板材8は、管理ファイルのマチを形成する。
【００３３】
図1・2・3掲載の、板材1と板材5の境界線上に板材6を形成した箇所20は、何らかの方法（接着や溶着など）を用いて形成する立体的構造である。
【００３４】
図4・5・6掲載の、板材6を板材1より切り出した箇所21は、文字通り板材6を板材1の一部より切り出して形成する平面的構造である。
【００３５】
図7は管理できる最小寸法となるレジ袋10のイメージ図（平面図）と、最大寸法となるレジ袋16のイメージ図（平面図）と、その間のサイズのレジ袋のイメージ図（小さい順に11・12・13・14・15の平面図）である。
【００３６】
図8から図14は様々なサイズのレジ袋10・11・13・14・16を、レジ袋再利用のための管理ファイル30（または31・32・33・34・35）を用いて管理する手順を描いた工程図（平面図）である。具体的にはまず管理ファイル30（または31・32・33・34・35）を板材5と板材6が重ねられた状態にしておく以外は全て広げて、その作業と並行して買い物の度に溜まる大小様々なサイズのレジ袋を全て平にのばした後レジ袋の底辺と横辺の片側をそろえつつ一番大きいレジ袋が一番下となる様に大きさ順に重ねる（図8）。次にそれら重ねたレジ袋の底辺を板材2と板材3の境界線に沿わせつつ、横辺を板材1と板材5の境界線に沿わせて置く（図9）。次に板材5を折りたたむ（図10、その際板材6は一緒に折りたたまれ、同時にレジ袋の中の空気の一部が押し出される）。次に管理ファイルの外にはみ出した箇所のレジ袋をまとめて板材5に巻き付ける様に折りたたむ（図11、その際にも空気の一部が排出される）。次に板材3を折りたたむ（図12、その際特に排出が困難なレジ袋の奥底に溜まった空気が効率よく排出される）。次に板材2（または板材2・7）を折りたたむ（図13、その際にも残っていた空気の一部が排出されると同時に、板材1と板材5にはさまれたレジ袋の上部と、板材2と板材3にはさまれたレジ袋の下部がその箇所でしっかり折りたたまれ固定される）。最後にフタとなる板材4（または板材4・8）を折りたたむ（図14、この工程を最終工程とした前記一連の作業を経て、重ねられた大小様々なサイズのレジ袋が板材1の大きさに折りたたまれる）という手順を説明している。
【００３７】
図15から図18はすでに大小様々なサイズのレジ袋10・11・13・14・16が管理されている管理ファイル30（または31・32・33・34・35）に、管理ファイルからはみ出す大きさのレジ袋15を新たに追加管理する時の工程図（平面図）である。具体的にはまず板材5と板材6を除いて全てを広げる（図15）。次にレジ袋15をレジ袋10・11・13・14・16と重ねて大きさを比較しつつ、割り込ませたい箇所を見定める（図16、ちなみにこの場合レジ袋14と16の間となる）。次に一旦そこからレジ袋15をどかせて、その割り込ませたい箇所付近にあるレジ袋のうちの小さい方（この場合レジ袋14）を板材5に巻き付ける（図17）。次にその板材5に巻き付けたレジ袋をそのままつまんで持ち上げて、その箇所にレジ袋15を割り込ませる（図18）という手順を説明している。
【００３８】
図19は取り出したいレジ袋が仮に管理ファイルからはみ出す大きさのレジ袋（この場合レジ袋15）だった場合、その取り出し作業の最終工程図（平面図）である。具体的には図15、図17の工程を経て、レジ袋15よりも小さいレジ袋のうち一番大きいレジ袋（この場合レジ袋14）を板材5に巻き付けてつまみ、レジ袋15を取り出すところを説明している。
【００３９】
図20から図23はすでに大小様々なサイズのレジ袋10・11・13・14・16が管理されている管理ファイル30（または31・32・33・34・35）に、管理ファイルからはみ出さない小ささのレジ袋12を新たに追加管理する時の工程図（平面図）である。具体的にはまず板材6を残して全てを広げる（図20）。次にレジ袋12をレジ袋10・11・13・14・16と重ねて大きさを比較しつつ割り込ませたい箇所を見定める（図21、ちなみにこの場合レジ袋11と13の間となる）。次に一旦そこからレジ袋12をどかせて、その割り込ませたい箇所付近にあるレジ袋のうちの小さい方（この場合レジ袋11）を板材6に巻き付ける（図22）。次にその板材6に巻き付けたレジ袋をそのままつまんで持ち上げて、その箇所にレジ袋12を割り込ませる（図23）という手順を説明している。
【００４０】
図24は取り出したいレジ袋が仮に管理ファイルからはみ出さない小ささのレジ袋（この場合レジ袋12）だった場合、その取り出し作業の最終工程図（平面図）である。具体的には図20、図22の工程を経て、レジ袋12よりも小さいレジ袋のうち一番大きいレジ袋（この場合レジ袋11）を板材6に巻き付けてつまみ、レジ袋12を取り出すところを説明している。
【００４１】
図25はマチとなる板材を有しないレジ袋再利用のための管理ファイル30を折りたたんだ時の正面図（A）と、マチとしては板材7のみを有する同管理ファイルの同正面図（B）と、マチとなる板材7・8を有する同管理ファイルの同正面図(C)である。
【００４２】
図26はマチとなる板材を有しない、展開すると1枚のシート状につながった形態のレジ袋再利用のための管理ファイル33を折りたたんだ時の正面図（A）と、マチとしては板材7のみを有する同管理ファイルの同正面図（B）と、マチとなる板材7・8を有する同管理ファイルの同正面図(C)である。
【００４３】
図27はレジ袋再利用のための管理ファイル30・31・32を折りたたんで板材1側から見た時の背面図（A）と、展開すると1枚のシート状につながった形態のレジ袋再利用のための管理ファイル33・34・35の同背面図（B）である。
【符号の説明】
【００４４】
・  板材
2  板材
3  板材
4  板材
5  板材
6  板材
7  板材
8  板材
10  レジ袋（管理できる最小サイズのレジ袋の例）
11  レジ袋（10より大きく、12より小さいレジ袋の例）
12  レジ袋（11より大きく、13より小さく、第5の樹脂板からはみ出さない小ささのレジ袋のうち一番大きいレジ袋の例）
13  レジ袋（12より大きく、14より小さく、第5の樹脂板からはみ出す大きさのレジ袋のうち一番小さいレジ袋の例）
14  レジ袋（13より大きく、15より小さいレジ袋の例）
15  レジ袋（14より大きく、16より小さいレジ袋の例）
16  レジ袋（管理できる最大サイズのレジ袋の例）
20  板材1と板材5の境界線上に板材6を形成した箇所
21  板材6を板材1より切り出した箇所
30  マチとなる板材を有しない、レジ袋再利用のための管理ファイル
31  マチとしては板材7のみを有する、レジ袋再利用のための管理ファイル
32  マチとなる板材7・8を有する、レジ袋再利用のための管理ファイル
33  マチとなる板材を有しない、展開すると1枚のシート状につながった形態のレジ袋再利用のための管理ファイル
34  マチとしては板材7のみを有する、展開すると1枚のシート状につながった形態のレジ袋再利用のための管理ファイル
35  マチとなる板材7・8を有する、展開すると1枚のシート状につながった形態のレジ袋再利用のための管理ファイル
【図１】
2019182516.tif 000003
【図２】
2019182516.tif 000004
【図３】
2019182516.tif 000005
【図４】
2019182516.tif 000006
【図５】
2019182516.tif 000007
【図６】
2019182516.tif 000008
【図７】
2019182516.tif 000009
【図８】
2019182516.tif 000010
【図９】
2019182516.tif 000011
【図１０】
2019182516.tif 000012
【図１１】
2019182516.tif 000013
【図１２】
2019182516.tif 000014
【図１３】
2019182516.tif 000015
【図１４】
2019182516.tif 000016
【図１５】
2019182516.tif 000017
【図１６】
2019182516.tif 000018
【図１７】
2019182516.tif 000019
【図１８】
2019182516.tif 000020
【図１９】
2019182516.tif 000021
【図２０】
2019182516.tif 000022
【図２１】
2019182516.tif 000023
【図２２】
2019182516.tif 000024
【図２３】
2019182516.tif 000025
【図２４】
2019182516.tif 000026
【図２５】
2019182516.tif 000027
【図２６】
2019182516.tif 000028
【図２７】
2019182516.tif 000029
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
弾力性のある長方形の第1の板材の短い方の側端部の一辺に第2と第3の板材を連続的に形成し、前記第1の板材の反対側の側端部に第4の板材を形成し、前記第1の板材の長い方の側端部のうちの一辺に第5の板材を形成し、前記第1と第5の板材の境界線上に同境界線を共有する第6の板材を形成し、前記第1から第6の板材の境界線部を全て折りたためる様にすると同時に、前記第1・2・3・4の板材のそれぞれの境界線の寸法はほぼ同一とされ、前記第2の板材は第1の板材より小さく形成され、前記第3の板材は第2の板材よりも小さく形成され、前記第5の板材は第1の板材より小さく第1の板材の側端部のほぼ中央に形成され、前記第6の板材は第5の板材より小さく第2の板材側に寄せて形成された事を特徴とするレジ袋再利用のための管理ファイル。
【請求項２】
前記第1と第2の板材の間にマチとなる第7の板材を割り込ませる様に追加形成し、前記第7の板材と第1・2の板材の境界線部も折りたためる様にした事を特徴とする請求項1記載のレジ袋再利用のための管理ファイル。
【請求項３】
前記第1と第4の板材の間にマチとなる第8の板材を割り込ませる様に追加形成し、前記第8の板材と第1・4の板材の境界線部も折りたためる様にした事を特徴とする請求項2記載のレジ袋再利用のための管理ファイル。
【請求項４】
前記第6の板材を前記第1の板材の一部より切り出して形成する事を特徴とする請求項1〜3いずれかに記載のレジ袋再利用のための管理ファイル。